【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  複数の光源手段から放射された複数の光束を複数の偏向面を有する同一の偏向素子の異なる偏向面で偏向し、前記複数の光束を各々走査レンズ系を介して各々の被走査面上に導光し、光走査する光走査装置において、
前記複数の光源手段の光量調整を異なる時刻に行う調整手段を有することを特徴とする光走査装置。
【請求項２】  前記複数の光源手段のうち１つの光源手段から１つの被走査面に至る系を１つの走査系とするとき、
前記光走査装置は複数の走査系を有し、このうち１つの走査系は被走査面の光走査終了側で光量調整を行っていることを特徴とする請求項１に記載の光走査装置。 
【請求項３】  前記複数の走査系のうち、一方の走査系で前記光源手段の光量調整を行っているときは、他方の走査系の光源手段を消灯させていることを特徴とする請求項２に記載の光走査装置。 
【請求項４】  前記被走査面上を光走査するときの同期信号を得るための同期信号検知手段と、前記同期信号検知手段からの同期信号をカウントするカウンタ手段と、前記カウンタ手段からのカウント値を用いて任意の時間に光量調整を行う制御手段とを有していることを特徴とする請求項１乃至３の何れか一項に記載の光走査装置。
【請求項５】  前記１つの走査系は、前記光源手段の光量調整を行うと同時に同期信号検知を行うことを特徴とする請求項２乃至４の何れか１項に記載の光走査装置。
【請求項６】  前記複数の光源手段から放射された複数の光束のなす角度は、６０度以下であることを特徴とする請求項１乃至５の何れか１項に記載の光走査装置。
【請求項７】  複数の光源手段から放射された複数の光束を複数の偏向面を有する同一の偏向素子の異なる偏向面で偏向し、前記複数の光束を各々走査レンズ系を介して各々の被走査面上に導光し、光走査する光走査装置において、
前記複数の光源手段のうち１つの光源手段から１つの被走査面に至る系を１つの走査系とするとき、前記光走査装置は複数の走査系を有し、このうち一方の走査系の光源手段を光量調整のために点灯させたときの光束が前記偏向素子で反射した後、他方の走査系の光源手段に入射しないように、前記偏向素子と前記一方の走査系の光源手段又は前記他方の走査系の光源手段との間に遮光部材を配置したことを特徴とする光走査装置。
【請求項８】  各々が請求項１乃至７の何れか一項に記載の光走査装置の被走査面に配置され、互いに異なった色の画像を形成する複数の像担持体とを有することを特徴とするカラー画像形成装置。
【請求項９】  外部機器から入力した色信号を異なった色の画像データに変換して各々の光走査装置に入力せしめるプリンタコントローラを有していることを特徴とする請求項８に記載のカラー画像形成装置。
【手続補正２】
【補正対象書類名】明細書
【補正対象項目名】００２４
【補正方法】変更
【補正の内容】
【００２４】
【課題を解決するための手段】
請求項１の発明の光走査装置は、複数の光源手段から放射された複数の光束を複数の偏向面を有する同一の偏向素子の異なる偏向面で偏向し、前記複数の光束を各々走査レンズ系を介して各々の被走査面上に導光し、光走査する光走査装置において、
前記複数の光源手段の光量調整を異なる時刻に行う調整手段を有することを特徴としている。
請求項２の発明は請求項１の発明において、前記複数の光源手段のうち１つの光源手段から１つの被走査面に至る系を１つの走査系とするとき、
前記光走査装置は複数の走査系を有し、このうち１つの走査系は被走査面の光走査終了側で光量調整を行っていることを特徴としている。
請求項３の発明は請求項２の発明において、前記複数の走査系のうち、一方の走査系で前記光源手段の光量調整を行っているときは、他方の走査系の光源手段を消灯させていることを特徴としている。
請求項４の発明は請求項１乃至３の何れか一項の発明において、前記被走査面上を光走査するときの同期信号を得るための同期信号検知手段と、前記同期信号検知手段からの同期信号をカウントするカウンタ手段と、前記カウンタ手段からのカウント値を用いて任意の時間に光量調整を行う制御手段とを有していることを特徴としている。
請求項５の発明は請求項２乃至４の何れか１項の発明において、前記１つの走査系は、前記光源手段の光量調整を行うと同時に同期信号検知を行うことを特徴としている。
請求項６の発明は請求項１乃至５の何れか１項の発明において、前記複数の光源手段から放射された複数の光束のなす角度は、６０度以下であることを特徴としている。
請求項７の発明の光走査装置は、複数の光源手段から放射された複数の光束を複数の偏向面を有する同一の偏向素子の異なる偏向面で偏向し、前記複数の光束を各々走査レンズ系を介して各々の被走査面上に導光し、光走査する光走査装置において、
前記複数の光源手段のうち１つの光源手段から１つの被走査面に至る系を１つの走査系とするとき、前記光走査装置は複数の走査系を有し、このうち一方の走査系の光源手段を光量調整のために点灯させたときの光束が前記偏向素子で反射した後、他方の走査系の光源手段に入射しないように、前記偏向素子と前記一方の走査系の光源手段又は前記他方の走査系の光源手段との間に遮光部材を配置したことを特徴としている。
請求項８の発明のカラー画像形成装置は、各々が請求項１乃至７の何れか一項に記載の光走査装置の被走査面に配置され、互いに異なった色の画像を形成する複数の像担持体とを有することを特徴としている。
請求項９の発明は請求項８の発明において、外部機器から入力した色信号を異なった色の画像データに変換して各々の光走査装置に入力せしめるプリンタコントローラを有していることを特徴としている。
【手続補正３】
【補正対象書類名】明細書
【補正対象項目名】００４０
【補正方法】変更
【補正の内容】
【００４０】
図４は本実施形態におけるレーザー発光のタイムチャートである。同図において上段が第１のスキャナーＡ、下段が第２のスキャナーＢであり、それぞれ光走査開始端ＳＰI、ＳＰIIそろえて表示してある。これにより２つの光源手段１１，１２のＡＰＣが異なる時刻に行われていることがわかる。また第２のスキャナーＢにおいては光走査終了端（光走査終了側）ＥＰIIでＡＰＣを行うことで、偏向面の頂点に光束が当たらずにすみ、不要な光束が感光ドラム等に向かわないように構成することができる。
【手続補正４】
【補正対象書類名】明細書
【補正対象項目名】００６３
【補正方法】削除
【補正の内容】
【手続補正５】
【補正対象書類名】明細書
【補正対象項目名】００６４
【補正方法】削除
【補正の内容】
【手続補正６】
【補正対象書類名】明細書
【補正対象項目名】００６５
【補正方法】削除
【補正の内容】
【手続補正７】
【補正対象書類名】明細書
【補正対象項目名】００６６
【補正方法】削除
【補正の内容】
【手続補正８】
【補正対象書類名】明細書
【補正対象項目名】００６７
【補正方法】削除
【補正の内容】
【手続補正９】
【補正対象書類名】明細書
【補正対象項目名】００６８
【補正方法】削除
【補正の内容】
【手続補正１０】
【補正対象書類名】明細書
【補正対象項目名】００６９
【補正方法】削除
【補正の内容】
【手続補正１１】
【補正対象書類名】明細書
【補正対象項目名】００７０
【補正方法】削除
【補正の内容】
【手続補正１２】
【補正対象書類名】明細書
【補正対象項目名】００７１
【補正方法】削除
【補正の内容】
【手続補正１３】
【補正対象書類名】明細書
【補正対象項目名】００７２
【補正方法】削除
【補正の内容】
【手続補正１４】
【補正対象書類名】明細書
【補正対象項目名】００７３
【補正方法】削除
【補正の内容】
【手続補正１５】
【補正対象書類名】明細書
【補正対象項目名】００７４
【補正方法】削除
【補正の内容】
【手続補正１６】
【補正対象書類名】明細書
【補正対象項目名】００７５
【補正方法】削除
【補正の内容】